(57)【要約】【課題】  内部に組み込まれた光源ランプがどの方向を向いた状態で使用しても、光源ランプの温度が不均一とならない光源ユニットを提供すること。【解決手段】  光源ユニット１ａの内部領域を、複数の区画壁１３ａによって互いに空気の移動ができないかまたは互いの空気の移動を大きく制限される複数の領域に分割し、内部に水銀が封入される光源ランプ１１を、これら複数の領域にまたがるように配設する。【選択図】  図１
2008293660.tif 000002
【特許請求の範囲】
【請求項１】
内部に水銀が封入される光源ランプを備える光源ユニットであって、互いに空気の移動が不可能または困難に画成される複数の区画と、該複数の区画にまたがって配設される光源ランプを備えることを特徴とする光源ユニット。
【請求項２】
内部に水銀が封入される光源ランプを備える光源ユニットであって、光源ランプが収納される領域が、互いに空気の移動が不可能または困難な複数の区画に区分けされ、前記光源ランプが前記複数の区画にまたがって配設されることを特徴とする光源ユニット。
【請求項３】
前記複数の区画は、光を照射する側に向かって先細り形状に形成される区画壁により画成されることを特徴とする請求項１または請求項２に記載の光源ユニット。
【請求項４】
請求項１から請求項３に記載のいずれかの光源ユニットを備えることを特徴とする表示装置。
【発明の詳細な説明】
【技術分野】
【０００１】
本発明は、光源ユニットおよびこの光源ユニットを備える表示装置に関するものであり、特に、液晶表示装置に好適な表示装置用の光源ユニットと、この光源ユニットを備える表示装置に関するものである。
【背景技術】
【０００２】
透過型の液晶表示パネルを備える液晶表示装置などは、一般的に、液晶表示パネルの背面側に光源ユニットが配設される構成を備える。この光源ユニットに組み込まれる光源ランプとしては、たとえば熱陰極管や冷陰極管などといった蛍光管が広く一般に用いられている。
【０００３】
一般的な蛍光管は、ガラスなどにより形成される管体と、この管体の両端近傍に配設される電極とを備える。管体の内部には希ガス類および水銀が封入され、管体の内壁面には蛍光被膜が形成される。
【０００４】
蛍光管の使用中に管体の温度分布が不均一となると、管体内部の温度が低い部分の水銀蒸気圧が局所的に低下する。そして、管体の内部に封入された水銀は、水銀蒸気圧が均一になろうとして温度が低い部分へ移動する。この結果、管体の温度が低い部分に水銀が溜まり、温度の高い部分の水銀が少なくなる。このような状態で使用を継続すると、蛍光管の寿命が短くなるおそれがある。そこで、蛍光管の使用時において管体の温度分布が不均一とならないよう、一般的には、蛍光管の管体を水平方向に向けた状態で使用される。
【０００５】
図８は、光源として蛍光管が組み込まれた従来の光源ユニットと、この光源ユニットが組み込まれた表示装置の構成の一例を、模式的に示した分解斜視図である。
【０００６】
この光源ユニット９は、シャーシ９１と、光源ランプである蛍光管９２と、蛍光管９２が発する光を乱反射する反射シート９３と、蛍光管９２が発する光の特性を調整する光学シート類９４と、光学シート類９４のスペーサなどとなるサイドホルダ９５と、光学シート類９４や蛍光管９２をシャーシ９１に保持するフレーム９６とを備える。また、シャーシ９１の背面側には、蛍光管９２を駆動する光源駆動回路基板９７などが配設される。
【０００７】
シャーシ９１の前面側には反射シート９３が布設され、その前面側に蛍光管９２が載置され、さらにその前面側に光学シート類９４が載置される。そしてフレーム９６が装着される。なお、蛍光管９２はランプクリップ９１１により保持され、光学シート類９４は支持ピン９１２により変形しないように支持される。このようにこの光源ユニット９は、反射シート９３と光学シート類９４とに囲まれた領域に、複数の蛍光管９２が略平行に配置される構成を備える。
【０００８】
この光源ユニット９が組み込まれた表示装置８は、光源ユニット９の前面側に液晶モジュール８１が配設され、さらにその前面側からベゼル８２が装着される構成を備える。また、シャーシ９１の背面側には、液晶モジュール８１を制御するコントロール回路基板８３が設けられる。そして、通常は、矢印ａに示す向きを上側または下側に向け、液晶モジュール８１の液晶パネルが横長となる状態で使用される。
【０００９】
このような構成によれば、常態においては蛍光管９２の管体は水平に寝た状態となる。使用時における蛍光管９２やその他の部材の発熱により前記反射シート９３と光学シート類９４とに囲まれた領域の空気が加熱されると、昇温した空気は上方へ移動し温度の低い空気は下方に溜まる。したがってこの領域は、上下方向についてみると温度分布が不均一となるが、水平方向については不均一とならないから、各蛍光管９２の管体はそれぞれ全長にわたって均一の温度が維持される。
【００１０】
【特許文献１】特開２００３−９２１０９号公報
【発明の開示】
【発明が解決しようとする課題】
【００１１】
ところで、このような表示装置において、表示パネルを縦長に配置して使用したいという要求もある。たとえば、広告用の表示装置についてこのような要求が大きい。しかしながら従来の表示装置は、表示パネルを縦長に配置すると蛍光管の管体が略垂直方向に立った状態になる。このような状態で使用すると、加熱されて昇温した空気は上方へ移動して蛍光管の上端側に集まり、温度の低い空気は蛍光管の下端側に溜まる。その結果、蛍光管の上端側と下端側とで温度差が生じて水銀が温度の低い下端側に移動するから、蛍光管の寿命に悪影響を与える状態で使用することになる。
【００１２】
上記実情に鑑み、本発明が解決しようとする課題は、光源の全体にわたって温度分布が不均一となることを防止または抑制できる光源ユニットおよび表示装置を提供すること、特に、光源が水平方向に寝た状態以外の態様で使用する場合において、光源の上端側と下端側とで温度差が発生することを防止または抑制できる光源ユニットおよび表示装置を提供することである。
【課題を解決するための手段】
【００１３】
このような課題を解決するため、光源ユニットの内部に、互いに空気の移動が不可能または困難な複数の区画を画成する。別の表現をすると、光源ランプが収納される領域を、互いに空気の移動が不可能または困難な複数の区画に区分けする。そして光源ランプを、これら複数の区画にまたがるように配設する。
【００１４】
これら複数の区画を画成する区画壁、または複数の領域に分割する区画壁は、光を照射する側に向かって先細り形状に形成されることが好ましい。また、この区画壁の先端は、これら複数の区画の光を照射する側に配設される光学シート類にほぼ当接する高さに形成されることが好ましい。
【発明の効果】
【００１５】
光源ユニットの使用時は、光源ランプやその他の部材が発する熱により、各区画内の空気が加熱されて温度が上昇する。複数の区画は、互いに空気の移動が不可能または困難に画成または分割されるから、加熱されて温度が上昇した空気は、当該区画から他の区画へ流出できないか、または流出が大きく制限される。このため、たとえば光源ランプの両端で位置的な高低差が存在するような態様で使用しても、温度が上昇した空気が光源ランプの上端側に集中することが防止または抑制される。その結果、光源ランプの全体にわたって温度が均一に維持されて水銀の偏在が防止されるから、光源ランプの寿命に悪影響を与えることがなくなる。したがって、光源ランプの寿命に悪影響をあたえることなく光源ユニットの使用態様の自由度を向上させることができる。
【００１６】
また、区画壁の側面が傾斜面状に形成されるから、この傾斜面が光源ランプが発した光を反射する反射面として機能する。さらに、先細り形状に形成される区画壁の先端で光学シート類を支持できる。このため、表示品位を低下させることがない。
【発明を実施するための最良の形態】
【００１７】
以下に、本発明の実施形態について、図面を参照して詳細に説明する。以下に示す実施形態は、液晶表示装置などに組み込まれる光源ユニットに適用される形態である。
【００１８】
図１は、本発明の実施形態に係る光源ユニットの第一の実施例の構成を模式的に示した分解斜視図である。以下の説明においては、図１中の上側を「光源ユニットの前面側」、下側を「背面側」と称する。
【００１９】
第一の実施例に係る光源ユニット１ａは、光源ランプ１１と、シャーシ１２ａと、区画壁１３ａと、反射シート１４と、光学シート類１５と、サイドホルダ１６と、フレーム１７ａとを備える。このほか、光源駆動回路基板２１と、光源駆動回路基板カバー２２とを備える。
【００２０】
シャーシ１２ａは、略四辺形に形成される底面１２１ａを有する。この底面１２１ａの相対向する一組の辺（図１に示す構成では長辺）の周縁部には、前面側に向かって衝立状に起立する側壁１２２ａが設けられる。そして、この側壁１２２ａの上端、すなわち前面側には、底面１２１ａに略平行な載置面１２３ａが設けられる。この載置面１２３ａは、光学シート類１５を載置できる面である。このシャーシ１２ａは、たとえば金属の板材などにより、プレス加工などを用いて一体に形成される。
【００２１】
光源ランプ１１は、たとえば冷陰極管や熱陰極管といった蛍光管など、管体の内部に水銀が封入されるタイプの光源ランプが適用できる。なお、この光源ランプ１１は、従来一般の構成を有する蛍光管等が適用できることから、詳細な説明は省略する。
【００２２】
光源ランプ１１の管体１１１には、所定の箇所に弾性リング１１２が装着される。この弾性リング１１２は、たとえば耐熱性のゴムやその他弾性変形容易な樹脂材料などにより形成される。
【００２３】
区画壁１３ａは、光源ランプ１１が収納される領域を複数の区画に分割する部材である。この区画壁１３ａは細長い板状の部材であり、蛍光管１１の管体１１１を挿通可能な開口部１３１ａが、所定の位置に形成される。この区画壁１３ａの長さは、シャーシ１２ａの相対向する側壁１２２ａの内側の面の間隔にほぼ等しい。すなわち、この区画壁１３ａをシャーシ１２ａの底面１２１ａにその短辺に平行に載置したときに、相対向する側壁１２２ａの間にほぼ隙間なく収まる長さに形成される。一方、この区画壁１３ａの高さ方向寸法は、シャーシ１２ａの底面１２１ａから載置面１２３ａまでの高さ寸法にほぼ等しく形成されることが好ましい。また、この区画壁１３ａの背面側は所定の厚みを有し、前面側に向かうにつれて厚さが薄くなるような断面形状を有する。具体的にはたとえば、背面側の面を底辺とする二等辺三角形などの断面形状が挙げられる。
【００２４】
この区画壁１３ａの色彩や表面性状は特に限定されるものではないが、たとえば白色で、光源ランプ１１の光を乱反射する表面性状であることが好ましい。なお、この区画壁１３ａの材質は限定されるものではなく、各種樹脂材料や金属材料などにより形成することができる。
【００２５】
反射シート１４は、光源ランプ１１が発した光を乱反射させるシート状または薄板状の部材である。たとえば、発泡ＰＥＴ樹脂（ポリエチレンテレフタレート樹脂）などにより形成される。光学シート類１５は、光源ランプ１１が発した光の特性を調整する板状もしくはシート状の部材、またはこれらの集合をいう。光学シート類１５には、たとえば拡散板、レンズシート、偏光反射フィルムなどが含まれる。そして一般的にはこれらが積み重ねられて用いられる。
【００２６】
サイドホルダ１６は、光学シート類１５を載置するためのスペーサなどとして機能する略棒状の部材である。このサイドホルダ１６は、たとえば樹脂材料などにより一体に形成される。フレーム１７ａは、光源ランプ１１や光学シート類１５などの部材をシャーシ１２ａに保持するための部材である。このフレーム１７ａは、開口した略四辺形に形成される。外周縁には、背面側に向かって衝立状に起立する側壁が設けられる。このフレーム１７ａは、たとえば金属の板材などにより、プレス加工などを用いて形成される。光源駆動回路基板２１は、光源ランプ１１を駆動するための電気回路や電子回路が構築された回路基板である。
【００２７】
これら反射シート１４、サイドホルダ１６、フレーム１７、光学シート類１５、光源駆動回路基板２１は、従来一般に用いられるものが適用できることから、詳細な説明は省略する。
【００２８】
このような部材を備える光源ユニット１ａの組み付けは、次の通りである。図２は、この光源ユニット１ａの組み付け途中の状態を示した一部分解斜視図であり、具体的には、シャーシ１２ａ、反射シート１４、光源ランプ１１、区画壁１３ａおよびサイドホルダ１６が組み付けられた状態を示す。
【００２９】
光源ランプ１１の管体１１１の所定の位置に弾性リング１１２を装着し、管体１１１を区画壁１３ａの開口部に挿通させる。そして、弾性リング１１２が区画壁１３ａの開口部内に収まるようにする。これにより、区画壁１３ａの開口部の内壁面と、光源ランプ１１の管体１１１の外表面との間には、弾性リング１１２が介在し、この間には気体が流通容易な隙間がなくなる。
【００３０】
シャーシ１２ａの底面１２１ａの前面側に反射シート１４を布設し、その前面側に光源ランプ１１と区画壁１３ａの結合体を載置する。その状態で、シャーシ１２ａの短辺の周縁部にサイドホルダ１６を載置する。これにより、図２に示すように、サイドホルダ１６および光学シート類１５とに囲まれる領域は、区画壁１３ａにより複数の区画に分割される。そして、各光源ランプ１１は、複数の区画にまたがって配設される構成となる。
【００３１】
なお、図２においては５枚の区画壁１３ａが装着される構成を示すが、この区画壁１３ａの数や、区画壁１３ａどうしの間隔は、図２に示す構成に限定されるものではない。ただし区画壁１３ａは、シャーシ１２ａの底面１２１の中心線Ａを中心に線対称となるように装着されることが好ましい。
【００３２】
そしてシャーシ１２ａの載置面１２３ａとサイドホルダ１６の前面側に光学シート類１５を載置し、さらにその前面側からフレーム１７ａを装着する。区画壁１３ａの底面および両端面は反射シートに１４に接触しており、また区画壁１３ａの先端は光学シート類１５に接触する。そして区画壁１３ａの開口部の内壁面と、光源ランプ１１の管体１１１の間には、弾性リング１１２が介在している。したがって、光学シート類１５が載置されると、分割された各区画の相互間では、空気の移動ができないか、または空気の移動が大きく制限される。
【００３３】
この光源ユニット１ａが、光源ランプ１１の両端で位置的な高低差を有する向きに設置されると、区画壁１３ａにより画成される各区画も、互いに高低差がある状態に列ぶ。この状態で光源ユニット１ａを使用すると、各区画内に存在する空気は、光源ランプ１１やその他の部材が発する熱により加熱されて温度上昇する。そして、温度が上昇した空気は、各区画内を上方へ移動する。しかしながら、区画壁１３ａにより、温度上昇した空気は隣接する別の区画に移動することができないか、または移動が大きく制限される。このため、温度の高い空気が光源ランプ１１の上端近傍に集まることを防止、または遅らせることができる。
【００３４】
したがって、光源ランプ１１の上端近傍と下端近傍とが位置的な高低差があるような状態で使用しても、光源ランプ１１の全長にわたって温度差が小さい状態を維持できる。このため、たとえば光源ランプ１１が垂直に立った状態で使用しても、従来のような、温度分布の不均一に起因する水銀の低温部分への集中を抑制できる。この結果、光源ランプ１１の寿命に悪影響を与えることがなく、光源ユニット１ａの使用態様の自由度を高くできる。
【００３５】
また、区画壁１３ａの先端で光学シート類１５を支持できる構成であるから、従来のような支持ピンを配設する必要がなくなる。さらに、区画壁１３ａにより光源ランプ１１の管体１１１を支持できるから、やはり従来のようなランプクリップを配設する必要もなくなる。そして区画壁１３ａの側面が傾斜を有していれば、この側面が反射面として機能する。このため、表示品位に影響を与えることもない。
【００３６】
なお、区画壁１３ａは、シャーシ１２ａの底面１２１ａの中心線Ａを中心に線面対称となる位置に設けられる。したがって、どちらの短辺を上側に位置するようにして用いても、同様の作用効果を奏することができる。
【００３７】
次に、この光源ユニット１ａが組み込まれる表示装置について説明する。図３は、この光源ユニット１ａが組み込まれる表示装置の構成を模式的に示した分解斜視図である。この表示装置３ａは、前記光源ユニット１ａと、液晶モジュール３１と、ベゼル３２ａと、コントロール回路基板３３とを備える。コントロール回路基板３３は、液晶モジュール３１のドライバ類を制御する制御信号を生成する。これらの各部材は、従来一般の構成のものが適用できることから、説明は省略する。
【００３８】
光源ユニット１ａの前面側に液晶モジュール３１が配設され、さらにその前面側からベゼル３２ａが装着される。シャーシ１２ａの背面側には、コントロール回路基板３３や、その他必要な部品などが装着される。このような構成の表示装置３ａは、光源ユニット１ａから発せられた光が液晶モジュール３１を透過することにより、液晶モジュール３１の前面側に画像が可視状態に表示される。
【００３９】
このような表示装置３ａによれば、光源ランプ１１の寿命に悪影響を与えることなく、液晶モジュール３１を縦長の向きに配置して使用できる。したがってたとえば広告用の表示装置など、縦長の画面を用いて画像を表示する用途などに好適に用いることができる。
【００４０】
次に、本発明の実施形態の第二の実施例について説明する。図４は、第二の実施例に係る光源ユニットの構造を模式的に示した分解斜視図である。なお、以下の説明においては、図４中の上側を「光源ユニットの前面側」、下側を「背面側」と称する。
【００４１】
この実施例に係る光源ユニット１ｂは、シャーシ１２ｂと、光源ランプ１１と、区画壁上部１３ｂと、光学シート類１５と、フレーム１７ｂとを備える。また、図示しないが、シャーシ１２ｂの背面側には、光源ランプ１１を駆動するための光源駆動回路基板や、その他必要な回路基板などが配設される。
【００４２】
シャーシ１２ｂは、たとえば合成樹脂材料などにより一体に形成される。このシャーシ１２ｂは、略四辺形に形成される底面１２１ｂを有する。この底面１２１ｂの相対向する一組の辺（図４においては長辺）には、所定の角度をもって前面側にせりあがる傾斜面１２４が設けられる。また、相対向する他の一組の辺（図においては短辺）には、前面側に衝立状に起立する側壁１２６が設けられる。そして底面１２１ｂ、傾斜面１２４および側壁１２６により、シャーシ１２ｂは全体として底の浅いトレイ状に形成される。
【００４３】
底面１２１ｂには、区画壁下部１２５が形成される。この区画壁下部１２５は、前面側に向かって突起する凸条の構造物である。光源ランプ１１の管体１１１の軸線と略直角方向に延伸し、相対向する傾斜面１２４どうしをつなぐように形成される。この区画壁下部１２５は、前面側に向かうにしたがって厚さが薄くなる形状に形成されることが好ましい。たとえば断面が等脚台形などの形状に形成される。そしてこの区画壁下部１２５の上面（すなわち前面側の面）１２５１には、光源ランプ１１の管体１１１を遊嵌可能な凹部１２５２が形成される。また、この区画壁下部１２５の側面は、光源ランプ１１が発した光を乱反射しやすい表面性状に形成される。
【００４４】
この区画壁下部１２５の数や、区画壁下部１２５どうしの間の間隔は特に限定されるものではない。ただし、略等間隔で、シャーシ１２ｂの底面１２１ｂの中心線Ａを中心に線対称の位置に形成されることが好ましい。
【００４５】
シャーシ１２ｂのこのほかの構造は、従来一般のものと同じ構造が適用できる。簡単に説明すると、底面１２１ｂおよび傾斜面１２４の前面側の表面は、光源ランプ１１から発せられた光を乱反射しやすい性状に形成される。傾斜面１２４の先端からは、底面１２１ｂの面方向に略平行な載置面１２３ｂが設けられる。この載置面１２３ｂは、光学シート類１５の周縁部が載置される面である。
【００４６】
区画壁上部１３ｂは、光源ランプ１１の管体１１１が収納される空間を分割する部材である。この区画壁上部１３ｂは細長い板状の部材であり、断面は略三角形に形成される。この区画壁上部１３ｂの背面側の面には、光源ランプ１１の管体１１１を遊嵌可能な凹部１３１ｂが形成される。また、この区画壁上部１３ｂの側面（すなわち前記背面側以外の面）の表面は、光源ランプ１１が発した光が乱反射しやすい性状を備える。
【００４７】
フレーム１７ｂは、光源ランプ１１や光学シート類１５をシャーシ１２ｂに保持する部材である。このフレーム１７ｂは、開口した四辺形に形成される。外周縁に沿って衝立状に背面側に向かって起立する側壁を備え、略Ｌ字形状の断面形状を有する。
【００４８】
なお、光源ランプ１１、光源ランプ１１の管体１１１に装着される弾性リング１１２、光学シート類１５、光源駆動回路基板（図示せず）は、前記第一の実施例と同じものが適用できることから、説明は省略する。
【００４９】
このような部材を備える光源ユニット１ｂの組み付けは、次の通りである。図５は、この実施例に係る光源ユニット１ｂの組みつけ途中の状態を示した一部分解斜視図である。具体的には、シャーシ１２ｂに、光源ランプ１１と、区画壁上部１３ｂとが組み付けられた状態を示す。
【００５０】
まず、光源ランプ１１の管体１１１に弾性リング１１２を装着する。そして、光源ランプ１１をシャーシ１２ｂの前面側に載置する。弾性リング１１２が装着される位置は、光源ランプ１１をシャーシ１２ｂの前面側に載置した際に、弾性リング１１２が区画壁下部１２５の凹部１２５２に嵌合する位置とする。そして、区画壁上部１３ｂを区画壁下部１２５の上面に装着する。
【００５１】
これにより、区画壁下部１２５と区画壁上部１３ｂとが一体化し、シャーシ１２ｂの底面１２１ｂから前面側に向かって突起する区画壁が構成される。この区画壁は全体として断面が略三角形となる。この区画壁の先端の高さは、載置面１２３ｂの高さとほぼ同じとなることが好ましい。また、光源ランプ１１の管体１１１は、区画壁下部１２５と区画壁上部１３ｂにより、シャーシ１２ｂに保持される。この結果図５に示すように、光源ランプ１１の管体１１１が収納される領域は、区画壁下部１２５および区画壁上部１３ｂにより、複数の区画に分割される。そして、各光源ランプ１１がこれら複数の区画にまたがって配設される構成となる。
【００５２】
この状態で光学シート類１５を載置面１２３ｂに載置し、さらにフレーム１７ｂを装着する。これにより、光源ランプ１１、区画壁上部１３ｂ、光学シート類１５は、シャーシ１２ｂから脱落不可能に保持される。
【００５３】
区画壁上部１３ｂの先端は、光学シート類１５にほぼ接触する高さとなる。また、区画壁下部１２５および区画壁上部１３ｂの凹部１２５２，１３１ｂの内壁面と、各光源ランプ１１の管体１１１の間には、弾性リング１１２が介在している。したがって、分割された区画の相互間では、空気の移動ができなくなるか、または移動が大きく制限される。
【００５４】
この光源ユニット１ｂが、光源ランプ１１の両端で位置的な高低差を有する向きに設置されると、区画壁下部１２５および区画壁上部１３ｂに仕切られる各区画も、互いに高低差がある状態に列ぶ。この状態で光源ユニット１ｂを使用すると、各区画内に存在する空気は、光源ランプ１１やその他の部材が発する熱により加熱されて温度上昇する。そして、温度が上昇した空気は各区画内を上方へ移動する。しかしながら温度上昇した空気は、区画壁下部１２５および区画壁上部１３ｂにより、隣接する別の区画に移動することができないか、または移動が大きく制限される。このため、温度の高い空気が光源ランプ１１の上端近傍に集まることを防止、または遅らせることができ、光源ランプ１１の全長にわたって温度差がない状態を維持できる。
【００５５】
このため、たとえば光源ユニット１ｂを、光源ランプ１１の管体１１１が略垂直方向に立った状態で使用したとしても、温度分布の不均一に起因する水銀の低温部分への集中を抑制できる。したがって、光源ランプ１１の寿命に悪影響を与えることなく、光源ユニット１ｂの使用の自由度を高くできる。
【００５６】
なお、区画壁下部１２５および区画壁上部１３ｂは、シャーシ１２ｂの底面１２１ｂの中心線Ａを中心に線対称に設けられる。したがって、どちらの短辺を上側に位置するようにして使用しても、同様の作用効果を奏することができる。
【００５７】
また、光学シート類１５は、区画壁上部１３ｂの先端で支持される構成となる。したがって、従来のような支持ピンを配設する必要がなくなる。さらに、光源ランプ１１の管体１１１は、区画壁下部１２５および区画壁上部１３ｂにより支持される。したがって、従来のようなランプクリップを配設する必要もなくなる（支持ピンおよびランプクリップについては図８参照）。そして、区画壁下部１２５および区画壁上部１３ｂの側面は傾斜を有しており、また、光を乱反射しやすい表面性状に形成される。したがって、これらの面は反射面として機能し、表示品位に悪影響を与えない。
【００５８】
次に、この光源ユニット１ｂが組み込まれる表示装置について説明する。図６は、この光源ユニット１ｂが組み込まれる表示装置の構成を模式的に示した分解斜視図である。この表示装置は、前記光源ユニット１ｂと、液晶モジュール３１と、ベゼル３２ｂと、コントロール回路基板（図示せず）とを備える。液晶モジュール３１は、液晶表示パネルと、この液晶パネルを駆動するドライバ類を備える。コントロール回路基板は、液晶モジュール３１のドライバ類を制御する制御信号を生成する。これらの各部材は、従来一般の構成のものが適用できることから、説明は省略する。
【００５９】
そして、光源ユニット１ｂの前面側に液晶モジュール３１が配設され、さらにその前面側からベゼル３２ｂが装着される。またシャーシ１２ｂの背面側には、コントロール回路基板や、その他必要な部品などが装着される。このような構成の表示装置３ｂは、光源ユニット１ｂから発せられた光が液晶モジュール３１を透過することにより、液晶モジュール３１の前面側に画像が可視状態に表示される。
【００６０】
このような表示装置３ｂによれば、光源ランプ１１の寿命に悪影響を与えることなく、液晶モジュールを縦長の向きに配置して使用できる。したがってたとえば広告用の表示装置など、縦長の画面を用いて画像を表示する用途などに好適に用いることができる
【００６１】
以上、本発明の実施形態について詳細に説明したが、本発明は、前記実施形態になんら限定されるものではなく、本発明の趣旨を逸脱しない範囲において種々の改変が可能である。
【００６２】
たとえば、第一の実施例においては、各区画壁１３ａが一体的に形成される構成を示したが、複数の部品が組み合わされて形成される構成であってもよい。図７は、第一の実施例の変形例を示した分解斜視図であり、区画壁１３ａ’が、複数の部品が組み合わされて形成される構成を有する。この変形例に係る区画壁１３ａ’は、前面側の部品１３０ａと背面側の部品１３０ｂとを備える。前面側の部品１３０ａと背面側の部品１３０ｂの接合面には、光源ランプ１１の管体１１１のを遊嵌できる凹部が形成される。そして、前面側と背面側とから光源ランプ１１の管体１１１を挟持する。このような構成であれば、光源ランプ１１に区画壁１３ａ’を装着する作業が容易となる。
【産業上の利用可能性】
【００６３】
本発明は、水銀を含有するか否かにかかわらず、温度分布が不均一となると寿命に悪影響を与えるような光源ランプを備える光源ユニットであれば適用できる。また、温度の不均一が機能や作用に悪影響を与えるような光源ランプを備える光源ユニットにも適用できる。この場合、温度を均一とすることにより、光源ランプの機能や作用の改善を図ることができる。たとえば温度が不均一となると輝度が不均一となるような光源ランプなどを備える光源ユニットに適用できる。
【図面の簡単な説明】
【００６４】
【図１】本発明の実施形態に係る光源ユニットの第一の実施例の構成を模式的に示した分解斜視図である。
【図２】前記光源ユニットの実施例の構成を模式的に示した一部分解斜視図であり、シャーシに光源ランプと区画壁とが装着された状態を示す。
【図３】前記実施例の光源ユニットが組み込まれた表示装置の構成を模式的に示した一部分解斜視図である。
【図４】本発明の実施形態に係る光源ユニットの第二の実施例の構成を模式的に示した分解斜視図である。
【図５】前記光源ユニットの第二の実施例の構成を模式的に示した一部分解斜視図であり、シャーシに光源ランプと区画壁とが装着された状態を示す。
【図６】前記実施例の光源ユニットが組み込まれた表示装置の構成を模式的に示した一部分解斜視図である。
【図７】前記の実施例光源ユニットの第一実施例の変形例の構成を示した分解斜視図である。
【図８】従来の光源ユニットと、この光源ユニットが組み込まれた表示装置の構成の一例を模式的に示した分解斜視図である。
【符号の説明】
【００６５】
１ａ  光源ユニット
１１  光源ランプ
１１１  光源ランプの管体
１１２  弾性リング
１２ａ  シャーシ
１２１ａ  シャーシの底面
１２２ａ  シャーシの側壁
１２３ａ  シャーシの載置面
１３ａ  区画壁
１４  反射シート
１５  光学シート類
１６  サイドホルダ
１７ａ  フレーム
２１  光源駆動回路基板
２２  光源駆動回路基板のカバー
【図１】
2008293660.tif 000003
【図２】
2008293660.tif 000004
【図３】
2008293660.tif 000005
【図４】
2008293660.tif 000006
【図５】
2008293660.tif 000007
【図６】
2008293660.tif 000008
【図７】
2008293660.tif 000009
【図８】
2008293660.tif 000010